【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
第１の格納装置識別子および保護対象コンテンツを含む格納装置を受け入れる計算装置にリンクされるネットワーク装置のための方法であって、
前記第１の格納装置識別子と暗号メカニズムとの間の関連性を取得することと、
前記保護対象コンテンツの一部を復号化するために前記暗号メカニズムの第１のキーを取得すること、
前記保護対象コンテンツの前記一部へのアクセスのためのリクエストを前記計算装置から受け取ることであって、前記リクエストは第２の格納装置識別子を含む、受け取ることと、
前記第２の格納装置識別子の少なくとも一部と前記第１の格納装置識別子との間の相関性に基づいて前記暗号メカニズムの少なくとも前記第１のキーを前記計算装置へ送出することと、
前記第１の格納装置識別子と、前記保護対象コンテンツのある別の部分と、ある別の暗号メカニズムとの間の関連性を取得することと、
前記保護対象コンテンツの前記別の部分を復号化するために前記別の暗号メカニズムに対する第２のキーを取得することと、
前記保護対象コンテンツの前記ある別の部分へのアクセスのためのリクエストを前記計算装置から受け取ることであって、前記リクエストは前記第２の格納装置識別子を含む、受け取ることと、
前記第２の格納装置識別子の一部と前記第１の格納装置識別子との間の相関性に基づいて前記暗号メカニズムへの前記第２のキーを前記計算装置へ送出することと、
を備える、方法。
【請求項２】
入手取引と、前記第１の格納装置識別子と、前記暗号メカニズムとの間の関連性を取得することであって、前記入手取引は前記計算装置に関連付けられる、取得することを更に備え、
前記暗号メカニズムへの前記第１のキーを前記計算装置へ送出することは、前記第２の格納装置識別子の前記一部と、前記第１の格納装置識別子と、前記入手取引きとの間の相関性に基づいて送出することを更に含む、請求項１に記載の方法。
【請求項３】
前記第１の格納装置識別子と前記暗号メカニズムとの間の関連性を取得することは、前記保護対象コンテンツの複数の部分と、対応する複数の暗号メカニズムとの間の関連性を取得することを更に含み、保護対象コンテンツの前記複数の部分の各々は、前記複数の暗号メカニズムの１つに対応する、請求項１に記載の方法。
【請求項４】
前記格納装置識別子を有する格納装置に非保護対象コンテンツをロードすることと、
前記非保護対象コンテンツの少なくとも一部を前記暗号メカニズムで不明瞭化し、これにより前記保護対象コンテンツの前記一部を定義することと、
前記格納装置識別子と前記暗号メカニズムとの間の関連性を定義すること
を更に備える、請求項３０に記載の方法。
【請求項５】
保護対象コンテンツをアクセスするための無線装置であって、
格納装置識別子および保護対象コンテンツを含む格納装置を受け入れる手段と、
前記格納装置識別子をネットワーク装置へ送出する手段であって、前記格納装置識別子は前記格納装置を識別するものである、送出する手段と、
前記格納装置識別子との関連性に基づいて前記ネットワーク装置から暗号メカニズムのキーを受け取る手段であって、前記暗号メカニズムは前記格納装置上の前記保護対象コンテンツの全てよりも少ない一部へのアクセスを提供するように構成される、受け取る手段と、
前記暗号メカニズムで前記保護対象コンテンツの一部をアクセスする手段と
を備える無線装置。
【請求項６】
保護対象コンテンツをアクセスするための計算装置であって、
処理エンジンと、
前記処理エンジンにより実行可能なコンテンツアクセス開始モジュールとを備え、
前記コンテンツアクセス開始モジュールは格納装置に格納された保護対象コンテンツを認識し、ネットワーク装置へ格納装置識別子を伝達し、前記格納装置識別子に関連付けられた第１の暗号メカニズムへの少なくともレファレンスを前記ネットワーク装置から受け取るように動作可能であり、前記第１の暗号メカニズムは前記格納装置上の保護対象コンテンツの全てより少ない一部へのアクセスを提供し、前記保護対象コンテンツの前記一部を非保護対象コンテンツの一部に変換するために前記第１の暗号メカニズムを前記保護対象コンテンツの少なくとも一部に適用するように構成されるものである、計算装置。
【請求項７】
前記コンテンツアクセス開始モジュールとの通信で各々格納される前記格納装置識別子および前記第１の暗号メカニズムをさらに備え、前記コンテンツアクセス開始モジュールは、更に前記格納装置識別子を前記ネットワーク装置へ無線で伝達し、前記格納装置識別子に関連付けられた前記第１の暗号メカニズムへの少なくとも前記レファレンスを前記ネットワーク装置から無線で受け取るように動作可能である、請求項６に記載の計算装置。
【請求項８】
前記計算装置に関連付けられた計算装置識別子を更に備え、前記コンテンツアクセス開始モジュールは更に前記計算装置識別子および前記格納装置識別子を前記ネットワーク装置に伝達するように動作可能であり、前記第１の暗号メカニズムへの少なくとも前記レファレンスは前記計算装置識別子と前記格納装置識別子との間における所定の関連性に対応する、請求項６に記載の計算装置。
【請求項９】
前記計算装置と着脱可能に通信する前記格納装置を更に備え、前記格納装置は前記格納装置識別子および前記保護対象コンテンツを含む、請求項６に記載の計算装置。
【請求項１０】
前記格納装置は非保護対象コンテンツを更に備え、前記非保護対象コンテンツはプレビューコンテンツおよび限定使用コンテンツのうちの１つを含む、請求項９に記載の計算装置。
【請求項１１】
第１の格納装置識別子と暗号メカニズムとの間の関連性を取得するアクションと、
前記暗号メカニズムのキーを取得するアクションと、
保護対象コンテンツの一部へのアクセスのための計算装置からのリクエストを受け取るアクションであって、前記リクエストは第２の格納装置識別子を含む、受け取るアクションと、
前記格納装置識別子と前記第２のコンテンツ識別子の一部と第１の格納装置識別子との間の相関性に基づいて、前記暗号メカニズムの前記キーを前記計算装置へ送出するアクションと
を行うように構成される少なくとも１つのプロセッサ。
【手続補正２】
【補正対象書類名】明細書
【補正対象項目名】００７８
【補正方法】変更
【補正の内容】
【００７８】
本発明の多くの変形例や他の実施形態は前述の説明と関連図面における教示の恩恵で本発明に係る当業者に発想させることであろう。従って、本発明が開示された特定の実施形態に限定されず、変形例や他の実施形態を添付の請求項の範疇に含めること意図していることを理解されたい。ここでは具体的な用語が使われているが、それらは制限の目的ではなく専ら総称的かつ説明的な意味合いで使われている。
以下に、本願出願の当初の特許請求の範囲に記載された発明を付記する。
[Ｃ１]  保護された環境の中でコンテンツを取得する方法であって、前記方法は、
格納装置識別子および保護対象コンテンツを含む格納装置を受け入れ、
前記格納装置識別子をネットワーク装置へ送出し、
前記格納装置識別子との関連性に基づいて前記ネットワーク装置から暗号メカニズムの少なくとも参照符を受け取り、
前記暗号メカニズムで前記保護対象コンテンツの少なくとも一部をアクセスすることを備える方法。
[Ｃ２]  前記暗号メカニズムでアクセスした前記一部とは異なる前記保護対象コンテンツの少なくとも１つの別の部分をアクセスするもので、前記格納装置の受け入れ動作可能な計算装置に関連付けられる計算装置識別子および前記格納装置識別子の少なくとも一方を含むリクエストを前記ネットワーク装置へ送出し、
前記格納装置識別子と前記計算装置識別子の少なくとも一方との間の関連性に基づいて、前記保護対象コンテンツの少なくとも前記別の部分に対応する少なくとも１つの別の暗号メカニズムの少なくとも参照符を前記ネットワーク装置から受け取り、
前記別の暗号メカニズムで前記保護対象コンテンツの少なくとも前記別の部分をアクセスすることを更に備えるＣ１に記載の方法。
[Ｃ３]  前記暗号メカニズムの受取前に支払情報を提供することを更に備え、ここで前記支払情報が前記保護対象コンテンツの少なくとも前記一部をアクセスするための支払いに対応するＣ１に記載の方法。
[Ｃ４]  前記別の暗号メカニズムの受取前に支払情報を提供することを更に備え、ここで前記支払情報が前記保護対象コンテンツの少なくとも前記別の部分をアクセスするための支払いに対応するＣ２に記載の方法。
[Ｃ５]  前記ネットワーク装置から前記暗号メカニズムの少なくとも前記参照符を受け取ることが更に前記格納装置の利用可能性についての確認に基づくＣ１に記載の方法。
[Ｃ６]  前記格納装置の利用可能性についての前記確認は、前記格納装置識別子と前記格納装置を含めた入手取引との間の関連性に基づくＣ５に記載の方法。
[Ｃ７]  前記ネットワーク装置へ計算装置識別子を送出することを更に備え、前記計算装置識別子が前記格納装置の受け入れ動作可能な計算装置に関連付けられ、前記ネットワーク装置から前記暗号メカニズムの前記参照符を受け取ることは前記計算装置で前記計算装置識別子との関連性に基づく受け取りを更に含むＣ１に記載の方法。
[Ｃ８]  前記ネットワーク装置へ別の計算装置識別子を送出することを更に備え、前記別の計算装置識別子が前記格納装置の受け入れ動作可能な別の計算装置に関連付けられ、前記ネットワーク装置から前記暗号メカニズムの少なくとも前記参照符を受け取ることは前記別の計算装置で前記別の計算装置識別子との関連性に基づく受け取りを更に含むＣ７に記載の方法。
[Ｃ９]  前記暗号メカニズムの少なくとも前記参照符を受け取ることは、前記暗号メカニズムの受け取りを更に含むＣ１に記載の方法。
[Ｃ１０]  前記保護対象コンテンツは、所定の暗号メカニズムで不明瞭化されたコンテンツを含むＣ１に記載の方法。
[Ｃ１１]  格納装置識別子および保護対象コンテンツを含む格納装置を受け入れるステップは、格納装置識別子、保護対象コンテンツ、および非保護対象コンテンツを含む格納装置を受け入れるステップを更に含むＣ１に記載の方法。
[Ｃ１２]  前記非保護対象コンテンツをアクセスするステップを更に備え、前記非保護対象コンテンツはプレビューコンテンツを含むＣ１１に記載の方法。
[Ｃ１３]  前記非保護対象コンテンツをアクセスするステップを更に備え、前記非保護対象コンテンツは限定使用コンテンツを含むＣ１１に記載の方法。
[Ｃ１４]  前記非保護対象コンテンツをアクセスするステップは、前記非保護対象コンテンツが限定使用コンテンツを含むものとして更に前記格納装置を受け入れる計算装置に基づいて前記限定使用コンテンツを限定使用コンテンツであるとして定義するＣ１３に記載の方法。
[Ｃ１５]  一連の命令を実体的に格納するコンピュータ可読媒体であって、
これら一連の命令が実行時に計算装置に、
格納装置識別子および保護対象コンテンツを含む格納装置を受け入れるアクションと、
前記格納装置識別子をネットワーク装置へ送出するアクションと、
前記格納装置識別子との関連性に基づいて暗号メカニズムの少なくとも参照符を前記ネットワーク装置から受け取るアクションと、
前記暗号メカニズムで前記保護対象コンテンツの少なくとも一部をアクセスするアクションとを行わせるコンピュータ可読媒体。
[Ｃ１６]  格納装置識別子および保護対象コンテンツを含む格納装置を受け入れるアクションと、
前記格納装置識別子をネットワーク装置へ送出するアクションと、
前記格納装置識別子との関連性に基づいて暗号メカニズムの少なくとも参照符を前記ネットワーク装置から受け取るアクションと、
前記暗号メカニズムで前記保護対象コンテンツの少なくとも一部をアクセスするアクションとを行うように構成される少なくとも１つのプロセッサ。
[Ｃ１７]  格納装置識別子および保護対象コンテンツを含む格納装置を受け入れる手段と、
前記格納装置識別子をネットワーク装置へ送出する手段と、
前記格納装置識別子との関連性に基づいて暗号メカニズムの少なくとも参照符を前記ネットワーク装置から受け取る手段と、
前記暗号メカニズムで前記保護対象コンテンツの少なくとも一部をアクセスする手段とを備える無線装置。
[Ｃ１８]  処理エンジンと、
前記処理エンジンにより実行可能なコンテンツアクセス開始モジュールとを備え、前記コンテンツアクセス開始モジュールが、格納装置に格納された保護対象コンテンツを認識し、ネットワーク装置に格納装置識別子を伝達し、前記格納装置識別子に関連付けられた第１の暗号メカニズムの少なくとも参照符を前記ネットワーク装置から受け取り、前記第１の暗号メカニズムを前記保護対象コンテンツの少なくとも一部に適用して前記保護対象コンテンツの前記一部を非保護対象コンテンツの一部に変換するように動作可能である計算装置。
[Ｃ１９]  前記コンテンツアクセス開始モジュールとの通信で各々格納される前記格納装置識別子および前記第１の暗号メカニズムを更に備え、前記コンテンツアクセス開始モジュールは、更に前記格納装置識別子を前記ネットワーク装置に無線で伝達し、前記格納装置識別子に関連付けられた前記第１の暗号メカニズムの少なくとも前記参照符を前記ネットワーク装置から無線で受け取るように動作可能であるＣ１８に記載の計算装置。
[Ｃ２０]  前記計算装置に関連付けられた計算装置識別子を更に備え、前記コンテンツアクセス開始モジュールは更に前記計算装置識別子および前記格納装置識別子を前記ネットワーク装置に伝達するように動作可能であり、前記第１の暗号メカニズムの少なくとも前記参照符は前記計算装置識別子と前記格納装置識別子との間における所定の関連性に対応するＣ１８に記載の計算装置。
[Ｃ２１]  前記計算装置と着脱可能に通信する前記格納装置を更に備え、前記格納装置が前記格納装置識別子および前記保護対象コンテンツを含むＣ１８に記載の計算装置。
[Ｃ２２]  前記格納装置は非保護対象コンテンツを更に備え、前記非保護対象コンテンツはプレビューコンテンツを含むＣ２１に記載の計算装置。
[Ｃ２３]  前記格納装置は非保護対象コンテンツを更に備え、前記非保護対象コンテンツは限定使用コンテンツを含むＣ２１に記載の計算装置。
[Ｃ２４]  前記限定使用コンテンツは、どの計算装置が前記データ格納装置に関連付けられているかに基づいて使用を制限するＣ２３に記載の計算装置。
[Ｃ２５]  前記格納装置は、フラッシュメディアカード、コンパクトディスク(ＣＤ)、およびデジタルビデオディスク(ＤＶＤ)からなるグループから選択されるＣ２１に記載の計算装置。
[Ｃ２６]  前記保護対象コンテンツは複数の暗号メカニズムの１つに各々対応する複数の保護対象コンテンツ部分を備え、前記アクセス開始モジュールは、前記複数の保護対象コンテンツ部分の少なくとも１つに対応する前記複数の暗号メカニズムの少なくとも１つの受け取り動作可能であるＣ２１に記載の計算装置。
[Ｃ２７]  前記コンテンツアクセス開始モジュールとの通信で格納される前記第１の暗号メカニズムおよび第２の暗号メカニズムを更に備え、前記保護対象コンテンツは前記保護対象コンテンツ部分および別の保護対象コンテンツ部分を含み、前記アクセス開始モジュールは、前記第２の暗号メカニズムを少なくとも前記別の保護対象コンテンツ部分に適用して前記別の保護対象コンテンツ部分を別の非保護対象コンテンツ部分に変換するように動作するＣ１８に記載の計算装置。
[Ｃ２８]  支払情報を持つメモリを更に備え、前記コンテンツアクセス開始モジュールは、更に前記第２の暗号メカニズムと引き換えに前記支払情報を前記ネットワーク装置へ送出するように動作するＣ２７に記載の計算装置。
[Ｃ２９]  前記計算装置は無線ネットワーク上で動作可能な無線装置を含むＣ１８に記載の計算装置。
[Ｃ３０]  保護された環境の中でコンテンツを配布する方法であって、前記方法は、
第１の格納装置識別子と暗号メカニズムとの間の関連性を取得し、
前記暗号メカニズムの少なくとも参照符を取得し、
保護対象コンテンツの少なくとも一部をアクセスするもので第２の格納装置識別子を含むリクエストを計算装置から受け取り、
前記第２の格納装置識別子の少なくとも一部と前記第１の格納装置識別子との間の相関性に基づいて前記暗号メカニズムの少なくとも前記参照符を前記計算装置へ送出することを備える方法。
[Ｃ３１]  前記第１の格納装置識別子と、前記保護対象コンテンツの少なくとも１つの別の部分と、少なくとも１つの別の暗号メカニズムとの間の関連性を取得し、
前記別の暗号メカニズムの少なくとも参照符を取得し、
前記保護対象コンテンツの少なくとも前記１つの別の部分をアクセスするもので前記第２の格納装置識別子を含むリクエストを前記計算装置から受け取り、
前記第２の格納装置識別子の少なくとも一部と前記第１の格納装置識別子との間の相関性に基づいて前記もうひとつ別の暗号メカニズムの少なくとも前記参照符を前記計算装置へ送出することを更に備えるＣ３０に記載の方法。
[Ｃ３２]  前記計算装置に関連付けられた計算装置識別子と、前記第１の格納装置識別子と、前記暗号メカニズムとの関連性を取得することを更に備え、
前記計算装置から前記リクエストを受け取ることは、もうひとつ別の計算装置識別子を含むものであり、
前記暗号メカニズムの少なくとも前記参照符を前記計算装置へ送出することは、前記計算装置識別子と前記もうひとつの計算装置識別子との間の相関性に基づいて送出することを更に含むＣ３０に記載の方法。
[Ｃ３３]  前記計算装置に関連付けられた入手取引と、前記第１の格納装置識別子と、前記暗号メカニズムとの間の関連性を取得することを備え、
前記暗号メカニズムの少なくとも前記参照符を前記計算装置へ送出することは、前記第２の格納装置識別子の少なくとも前記一部と、前記第１の格納装置識別子と、前記入手取引きとの間の相関性に基づいて送出することを更に含むＣ３０に記載の方法。
[Ｃ３４]  前記保護対象コンテンツの少なくとも一部をアクセスするもので第３の格納装置識別子を含むリクエストを少なくとももうひとつの計算装置から受け取り、
前記第３の格納装置識別子の少なくとも一部と前記第１の格納装置識別子との間の相関性の欠如に基づいて前記もうひとつの計算装置へ購入オプションメッセージを送出することを更に備える、Ｃ３０に記載の方法。
[Ｃ３５]  前記購入オプションメッセージに応答して前記もうひとつの計算装置から支払情報を受け取り、前記受け取った支払情報に基づいて前記暗号メカニズムの少なくとも前記参照符を前記計算装置へ送出することを更に備えるＣ３３に記載の方法。
[Ｃ３６]  前記暗号メカニズムの少なくとも前記参照符を送出することは、前記暗号メカニズムを送出することを更に含むＣ３０に記載の方法。
[Ｃ３７]  第１の格納装置識別子と暗号メカニズムとの間の関連性を取得することは、前記保護対象コンテンツの複数の部分と対応する複数の暗号メカニズムとの間の関連性を取得することを更に含み、前記複数の保護対象コンテンツ部分の各々は、前記複数の暗号メカニズムの少なくとも１つに対応するＣ３０に記載の方法。
[Ｃ３８]  前記第１の格納装置識別子を有する格納装置に非保護対象コンテンツをロードし、
前記非保護対象コンテンツの少なくとも一部を前記暗号メカニズムで不明瞭化し、これにより前記保護対象コンテンツの少なくとも前記一部を定義し、
前記第１の格納装置識別子と前記暗号メカニズムとの間の関連性を定義することを更に備えるＣ３０に記載の方法。
[Ｃ３９]  各入手取引きが前記保護対象データの対応部分に関連付けられた１つ以上の入手取引データを格納し、
前記格納された入手取引データに基づいて保護対象コンテンツ部分をアクセスするために前記計算装置の認証を認識することを更に備えるＣ３０に記載の方法。
[Ｃ４０]  保護対象コンテンツ部分をアクセスするための認証の認識に基づいて保護対象コンテンツ部分関連データを前記計算装置に伝達することを更に備えるＣ３９に記載の方法。
[Ｃ４１]  前記計算装置のコンテンツアクセス活動を監視し、
コンテンツアクセス活動の前記監視に基づいてコンテンツ購入推奨を前記計算装置に伝達することを更に備えるＣ３０に記載の方法。
[Ｃ４２]  前記計算装置の環境属性を監視し、
環境属性の前記監視に基づいてコンテンツ購入推奨を前記計算装置に伝達することを更に備えるＣ４１に記載の方法。
[Ｃ４３]  一連の命令を実体的に格納するコンピュータ可読媒体であって、
これら一連の命令が実行時に計算装置に、
第１の格納装置識別子と暗号メカニズムとの間の相関性を取得するアクションと、
前記暗号メカニズムの少なくとも参照符を取得するアクションと、
保護対象コンテンツの少なくとも一部をアクセスするもので第２の格納装置識別子を含むリクエストを計算装置から受け取るアクションと、
前記第２の格納装置識別子の少なくとも一部と前記第１の格納装置識別子との間の相関性に基づいて前記暗号メカニズムの少なくとも前記参照符を前記計算装置へ送出するアクションとを行わせるコンピュータ可読媒体。
[Ｃ４４]  第１の格納装置識別子と暗号メカニズムとの間の関連性を取得するアクションと、
前記暗号メカニズムの少なくとも参照符を取得するアクションと、
保護対象コンテンツの少なくとも一部をアクセスするもので第２の格納装置識別子を含むリクエストを計算装置から受け取るアクションと、
前記第２の格納装置識別子の少なくとも一部と前記第１の格納装置識別子との間の相関性に基づいて前記暗号メカニズムの少なくとも前記参照符を前記計算装置へ送出するアクションとを行うよう構成される少なくとも１つのプロセッサ。
[Ｃ４５]  第１の格納装置識別子と暗号メカニズムとの間の関連性を取得する手段と、
前記暗号メカニズムの少なくとも参照符を取得する手段と、
保護対象コンテンツの少なくとも一部をアクセスするもので第２の格納装置識別子を含むリクエストを計算装置から受け取る手段と、
前記第２の格納装置識別子の少なくとも一部と前記第１の格納装置識別子との間の相関性に基づいて前記暗号メカニズムの少なくとも前記参照符を前記計算装置へ送出する手段とを備えるネットワーク装置。
[Ｃ４６]  処理エンジンと、
前記処理エンジンによって実行される私用化モジュールとを備え、前記私用化モジュールが、ネットワーク接続の計算装置から格納装置識別子を受け取り、前記格納装置識別子に関連付けられた暗号メカニズムを決定し、前記暗号メカニズムの少なくとも参照符を前記計算装置に伝達するように動作可能なネットワーク装置。
[Ｃ４７]  前記私用化モジュールと通信するネットワークデータベースを更に備え、前記ネットワークデータベースが、前記暗号メカニズムの少なくとも前記参照符に関連付けられた前記格納装置識別子を含むＣ４６に記載のネットワーク装置。
[Ｃ４８]  前記ネットワークデータベースは複数の暗号メカニズムに関連付けられた複数の保護対象コンテンツ部分の識別情報を更に含み、前記複数の保護対象コンテンツ部分は更に前記格納装置識別子に関連付けられ、前記私用化モジュールは更に前記複数の保護対象コンテンツ部分の１つの識別情報を受け取るように動作可能であり、前記暗号メカニズムの前記参照符は前記複数の保護対象コンテンツ部分の前記識別された１つに対応する前記複数の暗号メカニズムの前記１つの参照符を更に含むＣ４７に記載のネットワーク装置。
[Ｃ４９]  前記ネットワークデータベースは前記格納装置識別子に関連付けられた計算装置識別子を更に含み、前記私用化モジュールは更に前記計算装置が前記計算装置識別子に対応する場合に前記暗号メカニズムの少なくとも前記参照符を前記計算装置に伝達するように動作可能であるＣ４７に記載のネットワーク装置。
[Ｃ５０]  前記ネットワークデータベースは前記格納装置識別子に関連付けられた入手情報を更に含み、前記私用化モジュールは更に前記計算装置が前記入手情報に関連付けられている場合に前記暗号メカニズムの少なくとも前記参照符を前記計算装置に伝達するように動作可能なＣ４７に記載のネットワーク装置。
[Ｃ５１]  計算装置と着脱可能に通信するように構成され格納装置識別子を持つ格納装置に非保護対象コンテンツをロードし、
前記非保護対象コンテンツの少なくとも一部を暗号メカニズムにより不明瞭化し、これにより保護対象コンテンツの少なくとも一部を定義し、
前記格納装置識別子と前記暗号メカニズムとの間の関連性を定義し、
前記保護対象コンテンツの少なくとも前記一部へのアクセスを前記格納装置識別子を持ったネットワーク接続の計算装置に提供するように動作可能なネットワーク装置へ前記定義された関連性を送出することを備えるコンテンツ配布方法。
[Ｃ５２]  不明瞭化することは、前記非保護対象コンテンツの複数の部分を複数の暗号メカニズムの１つにより不明瞭化し、これにより前記保護対象コンテンツの複数の部分を定義することを更に含み、前記関連性を定義することは、前記保護対象コンテンツの前記複数の部分を、前記それぞれの部分の不明瞭化に用いられる前記複数の暗号メカニズムの前記対応する１つに関連付けることを更に含み、前記定義された関連性を送出することは、前記保護対象コンテンツの要求された部分へのアクセスを提供するように動作可能である前記ネットワーク装置へ送出することを更に含むＣ５１に記載の方法。
[Ｃ５３]  データ格納装置識別子および保護対象コンテンツを含むメモリを備え、
前記保護対象コンテンツは前記識別子に関連付けられた暗号メカニズムに応答するネットワーク装置に前記識別子を伝達することにより非保護対象コンテンツに変換可能であるデータ格納装置。
[Ｃ５４]  前記データ格納装置は、フラッシュメディアカード、コンパクトディスク(ＣＤ)、およびデジタルビデオディスク(ＤＶＤ)からなるグループから選択されるＣ５３に記載のデータ格納装置。
[Ｃ５５]  前記保護対象コンテンツは、ゲームアプリケーション、実行可能アプリケーション、テキストファイル、オーディオファイル、画像ファイル、ビデオファイルからなるグループから選択されるＣ５３に記載のデータ格納装置。
[Ｃ５６]  前記データ格納装置は、着脱可能に固定され計算装置により読取可能な着脱可能データ格納装置であるＣ５３に記載のデータ格納装置。
[Ｃ５７]  前記計算装置は、前記保護対象コンテンツを認識し、前記識別子を前記ネットワーク装置に伝達し、前記ネットワーク装置から前記暗号メカニズムを受け取り、前記暗号メカニズムを前記保護対象コンテンツに適用するように動作可能であるＣ５６に記載のデータ格納装置。
[Ｃ５８]  前記保護対象コンテンツは、コンテンツ識別子を各々有する複数の保護対象コンテンツを更に含むＣ５３に記載のデータ格納装置。
[Ｃ５９]  前記複数の保護対象コンテンツの少なくとも一部は、それぞれのコンテンツ識別子を前記それぞれのコンテンツ識別子に対応する複数の暗号メカニズムの１つに応答する前記ネットワーク装置に伝達することにより非保護対象コンテンツに変換可能であるＣ５８に記載のデータ格納装置。
[Ｃ６０]  前記メモリは非保護対象コンテンツを更に備え、前記非保護対象コンテンツはプレビューコンテンツを含むＣ５３に記載のデータ格納装置。
[Ｃ６１]  前記メモリは非保護対象コンテンツを更に備え、前記非保護対象コンテンツは限定使用コンテンツを含むＣ５３に記載のデータ格納装置。